(57)【要約】【課題】複数の棒状バッテリモジュールを均等に冷却し得るバッテリ式電源装置を提供する。【解決手段】バッテリ式電源装置１は，一端に冷却風導入部１６を有し，また他端に冷却風導出部２０を有するボックス２と，そのボックス２内に設置されたバッテリ集合体３とを備えている。バッテリ集合体３は，第１〜第３バッテリモジュール群２１１　〜２１３　を有し，それら第１〜第３バッテリモジュール群２１１　〜２１３　は複数の棒状バッテリモジュール２２より構成される。第１バッテリモジュール群２１１　の冷却風導入部１６側に第１導風部材３６が，第２および第３バッテリモジュール群２１２　，２１３　間に，複数の風寄せ凸条４１１　，４１２　を有する第２導風部材３５が，第３バッテリモジュール群２１３　の冷却風導出部１９側に，複数の風寄せ凸条４１３　を有する第３導風部材３４がそれぞれ配置される。【選択図】　　　図３
2004103364.tif 000002
【特許請求の範囲】
【請求項１】
一端に冷却風導入部（１６）を有し，また他端に冷却風導出部（２０）を有するボックス（２）と，そのボックス（２）内に設置されたバッテリ集合体（３）とを備え，そのバッテリ集合体（３）は，冷却風流通方向（Ａ）に沿って互に平行に，且つ間隔をとって並ぶ第１〜第３バッテリモジュール群（２１１　〜２１３　）を有し，それら第１〜第３バッテリモジュール群（２１１　〜２１３　）は，軸線を冷却風流通方向（Ａ）と交差する仮想平面（Ｐ１　）内でその冷却風流通方向（Ａ）と交差させて等間隔で並ぶ複数の棒状バッテリモジュール（２２）より構成され，また冷却風流通方向（Ａ）にて相隣る一方の棒状バッテリモジュール（２２）と他方の棒状バッテリモジュール（２２）の両軸線が冷却風流通方向（Ａ）と平行な仮想平面（Ｐ２　）内に位置するバッテリ式電源装置であって，前記冷却風導入部（１６）に最も近い位置に在る第１バッテリモジュール群（２１１　）の前記冷却風導入部（１６）側に配置された第１導風部材（３６）と，前記第２および第３バッテリモジュール群（２１２　，２１３　）間に配置された第２導風部材（３５）と，前記第３バッテリモジュール群（２１３　）の前記冷却風導出部（２０）側に配置された第３導風部材（３４）とを備え，前記第１導風部材（３６）は，前記第１バッテリモジュール群（２１１　）の複数の棒状バッテリモジュール（２２）の軸線方向に延びてそれら棒状バッテリモジュール（２２）と間隔をとって対向する複数の導風板（３７）と，相隣る両導風板（３７）間に在って相隣る両棒状バッテリモジュール（２２）間の空間に臨む複数のスリット（３８１　）を有し，前記第２導風部材（３５）は，前記第２，第３バッテリモジュール群（２１２　，２１３　）の各棒状バッテリモジュール（２２）外周面に対向する複数のスリット（３８２　）を有すると共にそれら第２，第３バッテリモジュール群（２１２　，２１３　）側において，それぞれ各スリット（３８２　）の両側縁部に，冷却風を前記棒状バッテリモジュール（２２）外周面側に寄せるべく前記スリット（３８２　）に沿って設けられた複数の風寄せ凸条（４１１　，４２２　）を備え，前記第３導風部材（３４）は前記第３バッテリモジュール群（２１３　）の各棒状バッテリモジュール（２２）外周面に対向する複数のスリット（３８３　）を有すると共にその第３バッテリモジュール（２１３　）側において各スリット（３８３　）の両側縁部に，冷却風を前記棒状バッテリモジュール（２２）外周面側に寄せるべく前記スリット（３８３　）に沿って設けられた複数の風寄せ凸条（４１３　）を備えていることを特徴とするバッテリ式電源装置。
【発明の詳細な説明】
【０００１】
【発明の属する技術分野】
本発明はバッテリ式電源装置，特に，バッテリ集合体を備え，バッテリカー，ハイブリッドカー，燃料電池車等に搭載されて動力源として用いられるものに関する。ここで，バッテリという概念には，プライマリ・バッテリ，セコンダリ・バッテリの外に大容量の電気二重層キャパシタといったように各種蓄電機能を持つものが含まれる。
【０００２】
【従来の技術】
従来，この種のバッテリ式電源装置としては，そのバッテリ集合体内に，それを構成する複数の棒状バッテリモジュールを冷却すべく，専用の冷却風用ダクトや複数の冷却部材を配設したものが知られている（例えば，特許文献１参照）。
【０００３】
【特許文献１】
特開平１０−２５５８５９号公報
【０００４】
【発明が解決しようとする課題】
しかしながら従来装置においては冷却用ダクト等が棒状バッテリモジュール間を狭めることを妨げるため小型化を図ることが難しく，また部品点数も多いことから製造コストの上昇は避けられなかった。
【０００５】
【課題を解決するための手段】
本発明は，小型化および製造コストの低減が可能であって，しかも複数の棒状バッテリモジュールをほぼ均等に冷却することができるようにした前記バッテリ式電源装置を提供することを目的とする。
【０００６】
前記目的を達成するため本発明によれば，一端に冷却風導入部を有し，また他端に冷却風導出部を有するボックスと，そのボックス内に設置されたバッテリ集合体とを備え，そのバッテリ集合体は，冷却風流通方向に沿って互に平行に，且つ間隔をとって並ぶ第１〜第３バッテリモジュール群を有し，それら第１〜第３バッテリモジュール群は，軸線を冷却風流通方向と交差する仮想平面内でその冷却風流通方向と交差させて等間隔で並ぶ複数の棒状バッテリモジュールより構成され，また冷却風流通方向にて相隣る一方の棒状バッテリモジュールと他方の棒状バッテリモジュールの両軸線が冷却風流通方向と平行な仮想平面内に位置するバッテリ式電源装置であって，前記冷却風導入部に最も近い位置に在る第１バッテリモジュール群の前記冷却風導入部側に配置された第１導風部材と，前記第２および第３バッテリモジュール群間に配置された第２導風部材と，前記第３バッテリモジュール群の前記冷却風導出部側に配置された第３導風部材とを備え，前記第１導風部材は，前記第１バッテリモジュール群の複数の棒状バッテリモジュールの軸線方向に延びてそれら棒状バッテリモジュールと間隔をとって対向する複数の導風板と，相隣る両導風板間に在って相隣る両棒状バッテリモジュール間の空間に臨む複数のスリットを有し，前記第２導風部材は，前記第２，第３バッテリモジュール群の各棒状バッテリモジュール外周面に対向する複数のスリットを有すると共にそれら第２，第３バッテリモジュール群側において，それぞれ各スリットの両側縁部に，冷却風を前記棒状バッテリモジュール外周面側に寄せるべく前記スリットに沿って設けられた複数の風寄せ凸条を備え，前記第３導風部材は前記第３バッテリモジュール群の各棒状バッテリモジュール外周面に対向する複数のスリットを有すると共にその第３バッテリモジュール側において各スリットの両側縁部に，冷却風を前記棒状バッテリモジュール外周面側に寄せるべく前記スリットに沿って設けられた複数の風寄せ凸条を備えている，バッテリ式電源装置が提供される。
【０００７】
前記のように構成すると，第１バッテリモジュール群においては，それを構成する各棒状バッテリモジュールが，導風板の作用下で，その両側を流れる冷却風に，その外周面のほぼ４分の２を曝すことによって冷却される。また第２バッテリモジュール群においては，それを構成する各棒状バッテリモジュールが，その両側においてその外周面に沿って流れた後，直ちに第２導風部材のスリットに流込む冷却風および複数の風寄せ凸条により棒状バッテリモジュール外周面側に寄せられてそのスリットに流れ込む冷却風に，その外周面のほぼ４分の３を曝すことによって冷却される。さらに第３バッテリモジュール群においては，それを構成する各棒状バッテリモジュールが次のような冷却作用を受ける。即ち，第２導風部材のスリットを通過した後，直ちにその棒状バッテリモジュール外周面に沿って流れ，次いで第３導風部材のスリットに流込む冷却風，前記スリットを通過した後第２導風部材側の複数の風寄せ凸条により棒状バッテリモジュール外周面側に寄せられてその外周面に沿って流れ，次いで第３導風部材のスリットに流込む冷却風および第３導風部材側の複数の風寄せ凸条により棒状バッテリモジュール外周面側に寄せられた後前記スリットに流込む冷却風に，棒状バッテリモジュールの外周面全体が曝されるのである。
【０００８】
冷却風の冷却能は第１バッテリモジュール群から第２バッテリモジュール群を経て第３バッテリモジュール群に至る間に低下するが，それに応じて棒状バッテリモジュールの冷却風に曝される面積が増加すると共に風量の確保が行われるので，全部の棒状バッテリモジュールをほぼ均等に冷却することができる。
【０００９】
また第２，第３導風部材において，複数のスリットを持つことによる強度低下を，各風寄せ凸条の補強リブ作用によって補うことができる。
【００１０】
【発明の実施の形態】
図１，２において，バッテリ式電源装置１は，ほぼ直方体状をなすボックス２と，そのボックス２内に設置されたバッテリ集合体３とを備えている。ボックス２は鋼板製基台４と金属製（または合成樹脂製）カバー５とよりなる。基台４は，ほぼ直方体形ブロック状にまとめられたバッテリ集合体３を載せる支持板６と，その支持板６の一側縁から立上がると共にバッテリ集合体３の一側面側と対向する遮蔽板７とよりなる。支持板６は，間隔をとって配置された２つの凸条８を有し，各凸条８は遮蔽板７に対して直角をなすと共にその頂面９を平坦に形成されている。各凸条８の高さは，遮蔽板７側が最も低く，その遮蔽板７から離れるに従って漸増するようになっている。
【００１１】
図３に示すように，基台４は各凸条８の頂面９が水平になるように設置される。またバッテリ集合体３の，遮蔽板７との対向側面側を除く，残りの三側面側は，カバー５の，遮蔽板７と対向する側板１０および相対向する両側板１１により覆われ，また上面側はカバー５の天井板１２によって覆われている。
【００１２】
カバー５の一側面側は開放されているが，その開口は上部を除いて遮蔽板７により閉鎖される。天井板１２における遮蔽板７側の端部は，その遮蔽板７の上縁から外方へ折曲がる上縁板１３との間に冷却風用入口１４を存して対向している。天井板１２は，入口１４から遮蔽板７と対向する側板１０に向って，その天井板１２およびバッテリ集合体３間の間隔が漸減するように傾斜しており，この楔状空間は冷却風用通路１５として機能する。したがって，入口１４および通路１５は冷却風導入部１６を構成する。
【００１３】
支持板６，遮蔽板７および上縁板１３の両側縁に，それぞれ支持板６において上方へ折曲がるように一連の折曲げ縁部１７が形成されており，両折曲げ縁部１７の外面にはカバー５の相対向する両側板１１の内面がそれぞれ密着し，また遮蔽板７と対向する側板１０の下縁が両凸条８の頂面９にそれぞれ当接する。これにより，支持板６の両凸条８間および各凸条８の外側に存する３つの開口は冷却風用出口１８として機能し，これらの出口１８に連なるカバー５内の３つの楔形空間は冷却風用通路１９として機能する。したがって，それらの出口１８および通路１９は冷却風導出部２０を構成する。各出口１８は図示しない共通のダクトを介して吸引ファンＦに接続される。
【００１４】
このように，バッテリ集合体３の上側に冷却風導入部１６が，また下側に冷却風導出部２０がそれぞれ存することから，バッテリ集合体３内における冷却風流通方向Ａは上から下となる。
【００１５】
図４にも示すように，バッテリ集合体３は，冷却風流通方向Ａに沿って互に平行に，且つ間隔をとって並ぶ３つ，つまり第１〜第３バッテリモジュール群２１１　〜２１３　を有する。各バッテリモジュール群２１１　〜２１３　は，軸線を，冷却風流通方向Ａと交差する仮想平面Ｐ１　内でその冷却風流通方向Ａと交差させて等間隔で並ぶ複数の棒状バッテリモジュール２２より構成される。棒状バッテリモジュール２２の数は，実施例では第１，第２バッテリモジュール群２１１　，２１２　が７つ，第３バッテリモジュール群２１３　が６つである。また冷却風流通方向Ａにて相隣る一方の棒状バッテリモジュール２２と他方の棒状バッテリ２２の両軸線は冷却風流通方向Ａと平行な仮想平面Ｐ２　内に位置する。第３バッテリモジュール群２１３　の棒状バッテリモジュール２２の数を他のものよりも１つ減らした理由は，棒状バッテリモジュール２２は接続上２つ１組となるので，その棒状バッテリモジュール２２の数を偶数にするためである。
【００１６】
図５に明示するように，各棒状バッテリモジュール２２は，複数，実施例では６つのバッテリ（セコンダリ・バッテリ）２３を，相隣る両バッテリ２３が接続リング２４を介して直列接続されるように連結したものである。各棒状バッテリモジュール２２において，その一端面には六角形をなす正極２５が突設され，また他端面には四角形をなす負極２６が突設される。
【００１７】
図３，６に示すように，第１バッテリモジュール群２１１　の７つの棒状バッテリモジュール２２は，その軸線方向２箇所において所定の間隔で配置された２つの合成樹脂製角棒状グロメット２７に支持されている。各グロメット２７は上側の第１半体２８と下側の第２半体２９とよりなる。両半体２８，２９の合せ面３０，３１には各棒状バッテリモジュール２２の接続リング２４外周面に嵌まる７つの半円弧状凹部３２，３３が形成されている。第２バッテリモジュール群２１２　と両グロメット２７との関係は第１バッテリモジュール群２１１　の場合と同じである。第３バッテリモジュール群２１３　の６つの棒状バッテリモジュール２２は両グロメット２７に前記同様に保持されており，遮蔽板７に隣接した両凹部３２，３３による円形保持孔には棒状バッテリモジュール２２は存在しない。
【００１８】
図３，７に示すように，基台４における両凸条８の頂面９間に，平面形状が支持板６よりも小さな合成樹脂製第３導風部材３４の簀の子状本体３４ａが，その一側を遮蔽板７に当接させて渡されており，その簀の子状本体３４ａの上に，第３バッテリモジュール群２１３　を保持する両グロメット２７が，それらの一側面を遮蔽板７に当接させて両凸条８の直上に位置するようにそれぞれ載置される。両グロメット２７間には，第３導風部材３４を裏返した形態を有する合成樹脂製第２導風部材３５の簀の子状本体３５ａが，その一側縁を遮蔽板７に当接させて渡されると共に両簀の子状本体３４ａ，３５ａに突設された複数のスペーサ３４ｂ，３５ｂが相互に衝合されている。第２導風部材３５の簀の子状本体３５ａの上に，第２バッテリモジュール群２１２　を保持する各グロメット２７が，その一側面を遮蔽板７に当接させて第３バッテリモジュール群２１３　の各グロメット２７の直上に位置するように載置される。各グロメット２７上には，第１バッテリモジュール群２１１　を保持する各グロメット２７が，その一側面を遮蔽板７に当接させて載置される。各グロメット２７間には第２，第３導風部材３５，３４とは形態を異にする合成樹脂製簀の子状第１導風部材３６が，その一側縁を遮蔽板７に当接させて渡されている。各グロメット２７と第１〜第３導風部材３６〜３４の冷却風流通方向Ａと交差する方向の長さは等しい。
【００１９】
このように，第１導風部材３６は，冷却風導入部１６に最も近い第１バッテリモジュール群２１１　のその冷却風導入部１６側に配置され，また第２導風部材３５は，第２および第３バッテリモジュール群２１２　，２１３　間に配置され，さらに第３導風部材３４は，第３バッテリモジュール群２１３　の冷却風導出部２０側に配置される。
【００２０】
第１導風部材３６は，第１バッテリモジュール群２１１　の複数，実施例では入口１４側より７つの棒状バッテリモジュール２２の軸線方向に延びてそれら棒状バッテリモジュール２２と間隔をとって対向する複数，実施例では７つの短冊状をなす導風板３７と，相隣る両導風板３７間に在って相隣る両棒状バッテリモジュール２２間の空間に臨む複数，実施例では６つのスリット３８１　とを有する。入口１４に最も近い位置に在る棒状バッテリモジュール２２に関する一方のスリット３８１　は導風板３７および遮蔽板７間に形成される。入口１４より最も遠い位置にある棒状バッテリモジュール２２に関する一方のスリット３８１　は導風板３７および側板１０間に形成される。
【００２１】
第１導風部材３６と第１バッテリモジュール群２１１　において，棒状バッテリモジュール２２の外径をｄとし，その外径ｄに対応する導風板３７の幅をｗ１　としたときｗ１　≧ｄに設定される。ここで，棒状バッテリモジュール２２の外径ｄとは，図５，８にも示すように，バッテリ２３における負極側の有底筒体２３ａの外径とする。これは以後同じである。
【００２２】
第１導風部材３６において，両グロメット２７に対向する部分は，下向きに開口する浅いチャンネル材４０１　よりなり，各チャンネル材４０１　は各グロメット２７に嵌まっている。導風板３７は棒状バッテリモジュール２２の軸線方向に４分割されていて，１番目の分割片は，その一端部を一方のチャンネル材４０１　の一側面側に接合され，２番目の分割片は，その両端部を一方のチャンネル材４０１　の他側面側およびそれに隣接する別のチャンネル材４０２　の一側面側にそれぞれ接合され，３番目の分割片は短いチャンネル材４０２　の他側面側および他方のチャンネル材４０１　の一側面側にそれぞれ接合され，４番目の分割片は，その一端部を他方のチャンネル材４０１　の他側面側に接合されている。
【００２３】
第２，３，７に明示するように，第２導風部材３５の簀の子状本体３５ａは，相隣る両短冊状平板３９間に在って第２，第３バッテリモジュール群２１２　，２１３　の各棒状バッテリモジュール２２の外周面に対向する複数，実施例では各棒状バッテリモジュール２２の軸線方向に延び，且つ途中で分断された７つのスリット３８２　を有し，また棒状バッテリモジュール２２の外径ｄとその外径ｄに対応するスリット３８２　の幅ｗ２　とがｄ＞ｗ２　の関係にある。各スリット３８２　を形成する両短冊状平板３９の第２，第３バッテリモジュール群２１２　，２１３　側の両面において，それぞれ，スリット３８２　の両側縁部には，冷却風を棒状バッテリモジュール２２の外周面側に寄せるべくスリット３８２　に沿って延びる複数，実施例では一対の風寄せ凸条４１１　，４１２　が設けられている。
【００２４】
第３導風部材３４の簀の子状本体３４ａは，相隣る両短冊状平板４２間に在って，第３バッテリモジュール群２１３　の各棒状バッテリモジュール２２外周面に対向する複数，実施例では各棒状バッテリモジュール２２の軸線方向に延び，且つ途中で分断された７つのスリット３８３　を有する。ただし，入口１４に最も近い１つのスリット３８３　は使用されない。また棒状バッテリモジュール２２の外径ｄとその外径ｄに対応するスリット３８３　の幅ｗ３　とはｄ＞ｗ３　の関係にある。各スリット３８３　を形成する両短冊状平板４２の第３バッテリモジュール群２１３　側の面において，スリット３８３　の両側縁部には，冷却風を棒状バッテリモジュール２２の外周面側に寄せるべくスリット３８３　に沿って延びる複数，実施例では一対の風寄せ凸条４１３　が設けられている。
【００２５】
図９に示すように，第２バッテリモジュール群２１２　（第３バッテリモジュール群２１３　）において，バッテリ２３の有底筒体２３ａの中心ｏとスリット３８２　（３８３　）の縁を結ぶ線分の長さ，つまり有底筒体２３ａ外周面およびスリット３８２　（３８３　）の縁間の間隔ｄ１　と，前記中心ｏと風寄せ凸条４１１　（４１２　，４１３　）の縁を結ぶ線分の長さ，つまり有底筒体２３ａ外周面および風寄せ凸条４１１　（４１２　，４１３　）の縁間の間隔ｄ２　とはｄ１　≦ｄ２　の関係にある。これはスリット３８２　（３８３　）に向かう冷却風の圧損を下げて冷却効率を高めるためである。また第２バッテリモジュール群２１２　（第３バッテリモジュール群２１３　）において，相隣る両有底筒体２３ａ間の間隔ｄ３　と両間隔ｄ１　，ｄ２　との関係はｄ３　／２≦ｄ１　≦ｄ２　の関係にある。これは間隔ｄ３　の所でスリット３８２　（３８３　）に向かう冷却風の圧損が最も大きくなるので，そこよりも下流側である間隔ｄ１　およびｄ２　の所では冷却風の圧損を下げて冷却効率をより高めるためである。
【００２６】
図２，３に示すように，２つの鋼製フレーム部材４４の一端に存する取付部４５が，２つの凸条８の，遮蔽板７と反対側の端部頂面９において，それら凸条８にボルト４６ａおよびナット４６ｂによりそれぞれ固着される。図８にも示すように，各取付部４５から立上がる鉛直部４７はチャンネル形をなし，そのチャンネル４８に各グロメット２７の側部が嵌められている。図１０にも示すように，各鉛直部４７から折曲がる水平部４９もチャンネル形をなし，そのチャンネル５０は第１導風部材３６のチャンネル材４０１　に被せられており，水平部４９とチャンネル材４０１　との間には複数の板ばね５１が配置される。それら板ばね５１の弾発力で，第１〜第３導風部材３６〜３４および３つのグロメット２７が支持板６に押圧される。各水平部４９の端部に連設された取付部５２は遮蔽板７に連なる上縁部１３上に載置されて，それにボルト５４およびナット５５によって固着される。
【００２７】
各フレーム部材４４の水平部４９において，その入口１４側の端部上面に，上面にナット５６を有する支持部材５７が設けられており，それらナット５６上にカバー５の天井板１２が載せられ，その天井板１２を貫通するボルト５８がナット５６にねじ込まれている。これによりカバー５が各フレーム部材４４に取付けられる。また図には省略したがカバー５の取付手段は外にも設けられている。　図２，５，６に示すように，第１バッテリモジュール群２１１　の各棒状バッテリモジュール２２と，それに隣接する第２バッテリモジュール群２１２　の各棒状バッテリモジュール２２とは，それらの軸線方向中央部に存する接続リング２４の位置で合成樹脂製クリップ５９により接続されている。また図２，７に示すように第３バッテリモジュール群２１３　の各棒状バッテリモジュール２２は，その軸線方向中央部に存する接続リング２４の位置で，第２，第３導風部材３５，３４のスペーサ３５ｂ，３４ｂに設けられた相対向する半円弧状凹部６０，６１間に挟持される。これにより，第１〜第３バッテリモジュール群２１１　〜２１３　における各棒状バッテリモジュール２２の振動が抑制される。
【００２８】
図３において，バッテリ集合体３の冷却に当り，吸引ファンＦを作動させると，冷却風が入口１４，通路１５，バッテリ集合体３内，通路１９，出口１８の順に流通する。
【００２９】
図１１に矢印で示すように，冷却風ａが第１導風部材３６の各スリット３８１　から，第１〜第３バッテリモジュール群２１１　〜２１３　の各棒状バッテリモジュール２２の両側を流通すると，導風板３７およびそれと対向する棒状バッテリモジュール２２外周面のほぼ４分の１の部分間に冷却能の低い冷却風の淀みｓが形成され，また第１バッテリモジュール群２１１　の棒状バッテリモジュール２２外周面下側のほぼ４分の１の部分およびその下方においてそれと隣接する棒状バッテリモジュール２２外周面上側のほぼ４分の１の部分間に冷却能の低い冷却風の淀みｓが形成される。これにより，第１バッテリモジュール群２１１　においては，それを構成する７つの棒状バッテリモジュール２２が，導風板３７の作用下で，その両側を流れる冷却風ａに，それらの外周面のぼぼ４分の２を曝すことによって冷却される。
【００３０】
第２バッテリモジュール群２１２　においては，それを構成する各棒状バッテリモジュール２２が，その両側においてその外周面に沿って流れた後，直ちに第２導風部材３５のスリット３８２　に流込む冷却風ａおよび両風寄せ凸条４１１　により棒状バッテリモジュール２２外周面側に寄せられてそのスリット３８２　に流れ込む冷却風ａに，その外周面のほぼ４分の３を曝すことによって冷却される。
【００３１】
さらに第３バッテリモジュール群２１３　においては，それを構成する各棒状バッテリモジュール２２が次のような冷却作用を受ける。即ち，第２導風部材３５のスリット３８２　を通過した後，直ちにその棒状バッテリモジュール２２外周面に沿って流れ，次いで第３導風部材３４のスリット３８３　に流込む冷却風ａ，第２導風部材３５のスリット４２を通過した後第２導風部材３５側の両風寄せ凸条４１２　により棒状バッテリモジュール２２外周面側に寄せられてその外周面に沿って流れ，次いで第３導風部材３４のスリット３８３　に流込む冷却風ａおよび第３導風部材３４側の両風寄せ凸条４１３　により棒状バッテリモジュール２２外周面側に寄せられた後前記スリット３８３　に流込む冷却風ａに，棒状バッテリモジュール２２の外周面全体が曝されるのである。
【００３２】
冷却風ａの冷却能は第１バッテリモジュール群２１１　から第２バッテリモジュール群２１２　を経て第３バッテリモジュール群２１３　に至る間に低下するが，それに応じて棒状バッテリモジュール２２の冷却風ａに曝される面積が増加すると共に風量の確保が行われるので，全部の棒状バッテリモジュール２２をほぼ均等に冷却することができる。
【００３３】
また第２，第３導風部材３５，３４において，複数のスリット３８２　，３８３　を持つことによる各短冊状部平板３９，４２の強度低下を，各風寄せ凸条４１１　，４１２　；４１３　の補強リブ作用によって補うことができる。
【００３４】
【発明の効果】
本発明によれば，第１〜第３導風部材によって各棒状バッテリモジュールをほぼ均等に冷却することが可能であり，また第１〜第３導風部材と第１〜第３棒状バッテリモジュール群との積層配置により相隣る両棒状バッテリモジュール間を狭めて小型化を図ることが可能であり，その上，部品点数も少ないことから製造コストの低減を図ることが可能なバッテリ式電源装置を提供することができる。さらに第２，第３導風部材において，複数のスリットを持つことによる強度低下を，各風寄せ凸条の補強リブ作用によって補うことができる。
【図面の簡単な説明】
【図１】バッテリ式電源装置の斜視図である。
【図２】バッテリ集合体と基台等との関係を示す斜視図である。
【図３】図１，２の３−３線断面図である。
【図４】棒状バッテリモジュールの配列を説明する斜視図である。
【図５】棒状バッテリモジュールの斜視図である。
【図６】棒状バッテリモジュールとグロメットとの関係を示す要部斜視図である。
【図７】第１〜第３導風部材とグロメットとの関係を示す斜視図である。
【図８】図３の要部拡大図である。
【図９】第１〜第３導風部材および棒状バッテリモジュールと，冷却風の流れとの関係を示す説明図である。
【図１０】図８の１０−１０線断面図である。
【符号の説明】
１………………バッテリ式電源装置
２………………ボックス
３………………バッテリ集合体
１６……………冷却風導入部
２０……………冷却風導出部
２１１　〜２１３　……第１〜第３バッテリモジュール群
２２……………棒状バッテリモジュール
３４……………第３導風部材
３５……………第２導風部材
３６……………第１導風部材
３７……………導風板
３８１　〜３８３　……スリット
４１１　〜４１３　……風寄せ凸条
Ａ………………冷却風流通方向
Ｐ１　……………仮想平面
Ｐ２　……………仮想平面
【図１】
2004103364.tif 000003
【図２】
2004103364.tif 000004
【図３】
2004103364.tif 000005
【図４】
2004103364.tif 000006
【図５】
2004103364.tif 000007
【図６】
2004103364.tif 000008
【図７】
2004103364.tif 000009
【図８】
2004103364.tif 000010
【図９】
2004103364.tif 000011
【図１０】
2004103364.tif 000012